(57)【要約】      （修正有）【課題】五感に容易にマイナス水素イオンの存在を確かめられるマイナス水素イオン発生器を提供する。【解決手段】電気回路中に、ダイオードを加えて、プラスの電極から直流の放電をして、マイナス水素イオン効果を素早く、確実に感じられる器具が出来た。マイナス水素イオン発生器と、電気回路が、通電回路と、マイナス水素イオン発生回路とで成立していて、通電回路は、電力を消費する電気器具を動かす為の電気回路で、マイナス水素イオン回路は、上記通電回路中に、並列に２本の電線を接続し、この電線を通る電流は直流整流高圧発生箱に入り、この箱の中で、他の２本の電線に直流高圧電流を起こさせて、この電線の端にある２つのプラス極に至り、プラスの電極が放電して、マイナス水素イオンを発生するものである。【選択図】図１
0003168911.tif 000002
【実用新案登録請求の範囲】
【請求項１】
通電回路と、マイナス水素イオンを発生する為の電気回路より成立するマイナス水素イオン発生装置に於いて、通電回路とは、電力を消費する為の電気器具を働かせる電気回路又マイナス水素イオン発生装置とは、通電回路に並列に連絡した回路が、直流整流高圧発生装置に入り、之に感応して、発生した高圧の電流が、直流整流高圧発生装置より出て、２つの電極に至りプラスの電極が放電して、マイナス水素イオンを発生する装置を言い、このマイナス水素イオン発生器回路内にダイオードを入れた、マイナス水素イオン発生器。
【請求項２】
通電回路と、マイナス水素イオンを発生する為の電気回路より成立するマイナス水素イオン発生装置に於いて、通電回路とは、電力を消費する為の電気器具を働かせる電気回路又マイナス水素イオン発生装置とは、通電回路に並列に連絡した回路が、直流整流高圧発生装置に入り、之に反応して、発生した高圧の電流が、直流整流高圧発生装置より出て、２つの電極に至りプラスの電極が放電して、マイナス水素イオンを発生する装置を言い、この通電回路にダイオードと電力を消費する電球を、マイナス水素イオン発生回路が入っている箱の中に設置したマイナス水素イオン発生器。
【考案の詳細な説明】
【技術分野】
【０００１】
この考案は健康を増進する器具に関する。
【背景技術】
【０００２】
【特許文献１】登録実用新案第３０８３９３８
【特許文献２】特開２００２−４２５４５号
【特許文献３】特願２００２−２８８５５０号
【考案の開示】
【考案が解決しようとする課題】
【０００３】
近年、ストレスの緩和等の精神的な安定や、新陳代謝の活発化を促す作用があるとしてマイナスイオンが着目されつつあり、このマイナスイオンを発生させる種々の製品が提案されるに至っている。しかし、五感に容易にその効果が分かる器具はない。
【０００４】
本考案は、五感に容易にマイナス水素イオンの存在を確かめられる為の策定の開発である。
【課題を解決するための手段】
【０００５】
マイナス水素イオン発生器とは、電気回路が、通電回路と、マイナス水素イオン発生回路とで成立していて、通電回路とは、電力を消費する電気器具を動かす為の電気回路で、マイナス水素イオン回路とは、上記通電回路中に、並列に２本の電線を接続し、この電線を通る電流は直流整流高圧発生箱に入り、この箱の中で、他の２本の電線に直流高圧電流を起こさせて、この電線の端にある２つのプラス極に至り、プラスの電極が放電して、マイナス水素イオンを発生するものである。この通電回路に、ダイオードを直列に接続して、電極から直流の放電をして、マイナス水素イオンを発生させた。
【考案の効果】
【０００６】
通電３０秒後に、マイナス水素イオン開放口の近くに２０cm、鼻を近づけるのに、２〜３回呼吸で大きな息を自然にし、又肺の奥に吸気が届いている様に感じる。
【０００７】
頭部の血行が良くなるのがすぐ分かり、血行不良による頭痛が、全く治る。(1分間で)  活性炭の服用により、更に効果が上がる。
【０００８】
腎臓の新陳代謝が大きくなり、体がおだやかになる事が、直ぐに分かる。(１０分間で)クレアニチンの基準値内の数値が、容易に最良値になる。１５％クレアニチン値が低く、エコーにも写っていた腎臓の異常が正常になった。
【０００９】
通じが良くなり、昼夜の摂取により1日に数回も、下痢する事なく通じがある様になり、之が不快に感ずる時には、下痢止め剤で、その状態は、止められる。その時には吸引を少なくすればよい。
【００１０】
重度の不眠が、改善される。
【００１１】
目に病気がないのに、目に力が無くて、テレビを見られないのは、イオンで回復する。
【００１２】
一晩の吸引で、効果は24時間は持続する。（置場所１ｍ以内、６畳）自覚できる。
【００１３】
マイナス水素イオンの気流中では、簡易型設置型電話機のベルが十数日で鳴らなくなる事で、このイオンの存在が分かる。この場合、気流外に置くと、その能力は回復する。 
【００１４】
歩いて登山し、遠い景色を眺めた時の同じ快感が数時間続く。
【００１５】
頭頂部の無毛部には、ショウガと、オリーブオイルの混合物をすり込むと、１週間で毛が生えるのが分かり、１ヶ月で房々する。
【００１６】
イオンの気流中、大きな呼吸をした時、片方の肺に異常を感ずる場合、簡単に治る。
【００１７】
尿の様子が、少量の健康食品で良くなる。
【００１８】
手相の生命線に、副生命線がある人は、数か月でこれが延びる。
【００１９】
鼻の通りが、良くなる。
【００２０】
骨盤がずれて腰痛のある人は、イオンの気流中で、簡単な運動で、痛みがなくなる。
【００２１】
喘息に良い。
【考案を実施するための形態】
【００２２】
図面を参照しながら説明する。図１は、上から見た図で、図２は横から見た図であり、図２に配線図は図示していない。１はダイオード、２は１５Ｗ電球、３はタイマー、４は直流整流高圧箱、５は電極、６は通電キー、７は通電切断キー、８は本体箱、９は通空孔、１０はソケット、１１は放射孔、１２，１３はタイマーの接点である。ソケットを１００Ｖ電源に差し込んで、６の通電キーを押すと、ソケット１０から入った電流は、電流切断キー７を通り通電キー６を経てダイオード１（１０Ｅ１）を通り、電球２（１５Ｗ）に至る。電球を点灯した後、タイマー接点１３，１２を通り、ソケットに至って電源に入る。この電球点灯の回路に、高圧発生箱４の回路が、通電キー６とタイマー接点１３で組み込まれ直流整流高圧発生箱中で感応した直流整流高圧電流は、２つの電極５に至り、プラス極が直流放電して、マイナス水素イオンを発生する。これは請求項２の説明であり、図４は請求項２の回路図である。
【００２３】
請求項１の説明をする。図３は、請求項１の直流放電によって、生成するマイナス水素イオン発生器の回路図である。図１の電球２の代わりに、電気を消費する電気器具に代えたものである。
【図面の簡単な説明】
【００２４】
【図１】マイナス水素イオン発生器を上から見た図である。
【図２】マイナス水素イオン発生器を横から見た図である。
【図３】図３は、請求項１のマイナス水素イオン発生器の回路図である。
【図４】図４は、請求項２のマイナス水素イオン発生器の回路図である。
【符号の説明】
【００２５】
１  ダイオード
２  電  球
３  タイマー
４  直流整流高圧発生箱
５  電  極
６  通電キー
７  通電切断キー
８  本体箱
９  通空孔
１０  プラグ
１１  放射孔
１２  タイマー接点
１３  タイマー接点
１４  電気器具
【図１】
0003168911.tif 000003
【図２】
0003168911.tif 000004
【図３】
0003168911.tif 000005
【図４】
0003168911.tif 000006
【手続補正書】
【提出日】平成23年4月12日(2011.4.12)
【手続補正１】
【補正対象書類名】実用新案登録請求の範囲
【補正対象項目名】全文
【補正方法】変更
【補正の内容】
【実用新案登録請求の範囲】
【請求項１】
マイナス水素イオン発生器の１つで、電気回路中に、通気孔のある箱に入った電球に、
ソケットを通して電気を通じる通電回路を持って、この電球に電気が通るすぐ直前に、ダイオード（１０E１）を、直列にこの線に入れて、コンデンサーの線を電球の両側の線に
並列につなぎ、この回路に、２本の線の１本を、ソケットから通った１本の線に、上記の
ダイオードをつけてある手前の位置でつないで、その端を、直流整流高圧発生箱に入れ、
もう１本は、ダイオード、電球、ソケットの順に並んでいる、通電回路の電球とソケットの間の線につないで、他の１本の線と共に直流整流高圧発生箱に入り、直流整流高圧発生
箱の他端に入った線に感応させ、この感応した線の両端は、２つの電極に至り、プラス電極から放電して、マイナス水素イオンを発生する、マイナス水素発生器。
【請求項２】
マイナス水素イオン発生器の１つで、電気回路中に、セラミックヒーター、アルミナヒーター、窒化珪素ヒーター、カーボン抵抗器、電磁石、モーターのうちの１つの電気器具に、
ソケットを通して電気を通じる通電回路を持って、このセラミックヒーター、アルミナヒーター、窒化珪素ヒーター、カーボン抵抗器、電磁石、モーターの内の１つの電気器具に
電気が通るすぐ直前に、ダイオード（１０E１）を、直列にこの線に入れて、コンデンサーの線をセラミックヒーター、アルミナヒーター、窒化珪素ヒーター、カーボン抵抗器、
電磁石、モーターの内の１つの電気器具の両側の線に並列につなぎ、この回路に、２本の
線の１本を、ソケットから通った１本の線に、上記のダイオードをつけてある手前の位置
でつないで、その端を、直流整流高圧発生箱に入れ、もう１本は、ダイオード、セラミック
ヒーター、アルミナヒーター、窒化珪素ヒーター、カーボン抵抗器、電磁石、モーターの
内の１つの電気器具とソケットとの間の線につないで他の１本の線と共に直流整流高圧発生箱に入り、直流整流高圧発生箱の他端に入った線を感応させ、この感応した線の両端は、２つの電極に至り、プラス電極から放電して、マイナス水素イオンを発生する、マイナス水素イオン発生器。
【手続補正２】
【補正対象書類名】明細書
【補正対象項目名】全文
【補正方法】変更
【補正の内容】
【考案の詳細な説明】
【技術分野】
【０００１】
この考案は健康を増進する器具に関する。
【背景技術】
【０００２】
【特許文献１】登録実用新案第３０８３９３８
【特許文献２】特開２００２−４２５４５号
【特許文献３】特願２００２−２８８５５０号
【考案の開示】
【考案が解決しようとする課題】
【０００３】
近年、ストレスの緩和等の精神的な安定や、新陳代謝の活発化を促す作用があるとして
マイナスイオンが着目されつつあり、このマイナスイオンを発生させる種々の製品が提案
されるに至っている、しかし、五感に容易にその効果が分かる器具はない。マイナスイオンとは、マイナス酸素イオンの事で、オゾンO3である。体中では、活性酸素が悪事をするので、この活性酸素を中和して、無害にするため、いろいろ努力するのであるが、O3も活性
酸素なので、マイナスイオンと同じ仲間で、O 3 は活性酸素に無力で、体にいい感じを与えないので、活性酸素を中和する活性水素を求めている。
【０００４】
本考案は、五感に容易にマイナス水素イオンの存在を確かめられる為の策定の開発である。
【課題を解決するための手段】
【０００５】
マイナス水素イオン発生器とは、電気回路が、通電回路と、マイナスイオン発生回路と
で成立していて、通電回路とは、電気器具に通電する電気回路で、マイナスイオン回路とは、上記の通電回路中に、並列に２本の電線を接続し、この電線を通る電流は直流整流高圧発生箱に入り、この箱の中で、箱の他の端に入っている線に感応させ、感応した線の両端は２つの電極に至り、プラス極より放電して、マイナスイオンを発生するものであり、
この通電回路に、電気が外部よりソケットに入り、電気器具に至る前の位置に、ダイオートを直列に接続し、コンデンサーを電気器具の前後に、並列に接続し、この通電回路に
、上記と同じ様にマイナスイオン発生回路を接続し、通電すると、プラス極にマイナス水素イオンが発生した。
【考案の効果】
【０００６】
通電３０秒後に、マイナス水素イオン開放口の近くに２０ｃｍ、鼻を近づけるのに、２〜
３回の呼吸で大きな息を自然にし、又肺の奥に吸気が届いている様に感じる。
【０００７】
頭部の血行がよくなるのがすぐ分かり、血行不良による頭痛が、全く治り、（１分間で）
活性炭の服用により、更に効果が上がる。
【０００８】
腎臓の新陳代謝が大きくなり、体がおだやかになる事が、直ぐに分かり、（１０分間で）
クレアニチンの基準値内の数値が、容易に最良値になる。
【０００９】
通じが良くなり、昼夜の摂取により１日に数回も、下痢する事なく通じがある様になり、
之が不快に感ずる時には、吸引を控えたらよい。
【００１０】
重度の不眠が、改善される。
【００１１】
目に病気がないのに、目に力が無くて、テレビを見られないのは、イオンで回復する。
【００１２】
一晩の吸引で、効果は２４時間は持続する。（置場所１ｍ以内、６畳）自覚できる。
【００１３】
マイナス水素イオンの気流中では、簡易型設置型電話機のベルが十数日で鳴らなくなる
事で、このイオンの存在が分かる。この場合、気流外に置くと、その能力は回復する。
【００１４】
歩いて登山し、遠い景色を眺めた時の同じ快感が数時間続く。
【００１５】
頭頂部の無毛部には、ショウガとオリーブオイルの混合物をすり込むと、１週間で、毛が生えるのが分かり、１ヶ月で房々する。
【００１６】
イオンの気流中、大きな呼吸をした時、片方の肺に異常を感ずる場合、簡単に治る。
【００１７】
尿の様子が、少量の健康食品で良くなる。
【００１８】
手相の生命線に、副生命線がある人は、数か月でこれが延びる。
【００１９】
鼻の通りが、良くなる。
【００２０】
骨盤がずれて腰痛のある人は、イオンの気流中で、簡単な運動で、痛みがなくなる。
【００２１】
喘息に良い。
【００２２】
イオン気流中に、簡易型設置型電話機を置くと、十数日でベルが鳴らなくなり、これを
気流外に置くと、能力が回復する事で気流の存在が分かる。
【考案を実施するための最良の形態】
【００２３】
図面を参照しながら説明する。図１は上から見た図で、図２は横から見た図であり、図
２に配線図は図示していない。１はダイオード、２は５ｗ電球、３はタイマー、４は直流
整流高圧発生箱、５はコンデンサー、６は通電キー、７は通電切断キー、８は本体箱、９
は通気孔、１０はソケット、１１は放射孔、１２，１３はタイマーの接点である。ソケット
を１００ｖ電源に差し込んで６の通電キーを押すとソケット１０から入った電流は、電流切断キー７を通り通電キー６を経てダイオード１（１０E１）を通り、電球２（５ｗ）に至る。電球を点灯した後、タイマー接点１３，１２を通り、ソケットに至って電源に入る。この電球点灯の回路中の、１３から出た線は、直流整流高圧発生箱に入り、もう１本の、６の接点から出た線は、１３から出た線と共に直流整流高圧発生箱に入り、直流整流
高圧発生箱の他の端から入った線に感応して、感応した線は、その両端が２つの電極に至り、プラスの電極より放電して、マイナス水素イオンを発生した。
【図面の簡単な説明】
【００２４】
【図１】マイナス水素イオン発生器を上から見た図である。
【図２】マイナス水素イオン発生器を横から見た図である。
【図３】図３は、請求項１のマイナス水素イオン発生器の回路図である。
【図４】図４は、請求項２のマイナス水素イオン発生器の回路図である。
【符号の説明】
【００２５】
１  ダイオード
２  電  球
３  タイマー
４  直流整流高圧発生箱
５  コンデンサー
６  通電キー
７  通電切断キー
８  本体箱
９  通気孔
１０  ソケット
１１  放射孔
１２  タイマー接点
１３  タイマー接点
１４  マイナス電極
１５  プラス電極
１６  電気器具
【手続補正３】
【補正対象書類名】図面
【補正対象項目名】全図
【補正方法】変更
【補正の内容】
【図１】
0003168911.tif 000007
【図２】
0003168911.tif 000008
【図３】
0003168911.tif 000009
【図４】
0003168911.tif 000010
【手続補正書】
【提出日】平成23年4月12日(2011.4.12)
【手続補正１】
【補正対象書類名】明細書
【補正対象項目名】００２５
【補正方法】変更
【補正の内容】
【００２５】
１  ダイオード
２  電  球
３  タイマー
４  直流整流高圧発生箱
５  コンデンサー
６  通電キー
７  通電切断キー
８  本体箱
９  通気孔
１０  ソケット
１１  放射孔
１２  タイマー接点
１３  タイマー接点
１５  マイナス電極
１６  プラス電極
１７  電気器具